(57)【要約】【課題】接地ケーブルを短い長さで接続でき、且つ高周波領域のインピーダンスを低くでき、従来構造と比較して低コストの躯体接地構造を得る。【解決手段】デッキプレート１３と、デッキプレート１３の上方に間隔を有し且つ電気的に導通してグリッド状に配筋されデッキプレート１３上に打設されるスラブコンクリート１７中に埋設される主筋１５と、全ねじボルトからなる横ボルトの略中央に全ねじボルトからなる縦ボルトの上端を固定してＴ字型に形成したＴ字型吊ボルト２３とを具備し、デッキプレート１３の所望位置にボルト穴を穿設し、Ｔ字型吊ボルト２３の縦ボルトをボルト穴に貫通させてスラブ１１下に垂設させるとともに、横ボルトの両端側のそれぞれを横ボルトに交差する主筋１５に載置して電気的に導通させた状態で接続固定し、スラブ１１下に垂設された縦ボルトにケーブルラック２９を電気的に導通させた状態でこのケーブルラック２９に接地ケーブル２１を接続した。【選択図】        図１
2005056594.tif 000002
【特許請求の範囲】
【請求項１】
金属製床材と、
該金属製床材の上方に間隔を有しかつ電気的に導通して配筋され該金属製床材料上に打設されるコンクリート中に埋設される鉄筋とＴ字型吊ボルトとを具備し、
該金属製床材の所望位置にボルト穴を穿設し、
前記Ｔ字型吊ボルトの縦部分を該ボルト穴に貫通させてスラブ下に垂設させるとともに、前記Ｔ字型吊ボルトの横部分の両端側のそれぞれを該横ボルトに交差する前記鉄筋に載置して電気的に導通させた状態で接続固定し、
スラブ下に垂設された前記縦ボルトに接地ケーブルを接続したことを特徴とする躯体接地構造。
【請求項２】
金属製床材と、
該金属製床材の上方に間隔を有しかつ電気的に導通して配筋され該金属製床材料上に打設されるコンクリート中に埋設される鉄筋とＴ字型吊ボルトとを具備し、
該金属製床材の所望位置にボルト穴を穿設し、
前記Ｔ字型吊ボルトの縦部分を該ボルト穴に貫通させてスラブ下に垂設させるとともに、前記Ｔ字型吊ボルトの横部分の両端側のそれぞれを該横ボルトに交差する前記鉄筋に載置して電気的に導通させた状態で接続固定し、
スラブ下に垂設された前記縦ボルトに、導電性を有するケーブルラックを電気的に導通させた状態で吊下げ支持し、
該ケーブルラックに接地ケーブルを接続したことを特徴とする躯体接地構造。
【請求項３】
金属製床材と金属製ボルトを具備し、前記金属製床材の所望位置にボルト穴を穿設し、該金属製ボルトの縦部分を該ボルト穴に貫通させてスラブ下に垂設させるとともに、前記金属製ボルトを金属製ワッシャーを介して前記金属製床材と電気的に導通させた状態で固設し、前記金属製ボルトに接地ケーブルを接続したことを特徴とする躯体接地構造。
【発明の詳細な説明】
【０００１】
【発明の属する技術分野】
本発明は、高周波・高調波ノイズによる障害や雷害の影響を受け易いＣＰＵ機器類に対し、低コストで高品質の接地が提供可能となる躯体接地構造に関し、特に、データセンターを初めとするＩＴ施設やＩＴ化が進んだ事務所ビル，各種工場等に用いて好適な躯体接地構造に関する。
【０００２】
【従来の技術】
例えば事務所ビルでは、従来個別に接地工事を行うことが主流であった電気設備や電気機器が、構造躯体を被接地部材に利用して接地されることがある。このような構造躯体を被接地部材として利用する躯体接地構造では、躯体全体に使用されている全ての鉄骨、特にコンクリート基礎部の鉄骨が接地に利用可能となるため、接地面積を大きく確保でき、接地抵抗を小さくすることができる。
【０００３】
この出願の発明に関連する先行技術文献情報としては次のものがある。
【特許文献１】
特開平９−２５９９４７号公報
【特許文献２】
特開平１０−２０３８号公報
【０００４】
例えば上記特許文献１に開示される建造物におけるコンクリート基礎を利用した電気設備の接地構造は、図６に示すように、鉄筋１ｂを配設しコンクリート２を打設したコンクリート基礎ｂに、このコンクリート基礎ｂ上に建築した建造物ａ内で使用する配電盤や家電製品などの電気設備４の接地を、コンクリート基礎ｂ内の鉄筋１ｂに直接若しくは建造物ａ内の鉄筋を介して間接的に電気設備４のアース線３を接続することにより、低抵抗接地構造を可能としている。なお、図中７は、アース線３の接続を容易にするアース線取付部を示す。
【０００５】
また、上記特許文献２に開示される建築物における接地電極板及び接地方法は、高周波接地をするための接地電極板（専用金物）が、建築物の躯体表面に打設されたコンクリートを介して建築物の鉄筋又は鉄骨鉄筋と容量結合しうるように載置され、導電的に結合された無線設備の発生する高周波を当該鉄筋又は鉄骨鉄筋に流すために所定の対向面積を有するように構成されることで、大掛かりな手段を用いることなく、また、建築物の躯体に損傷を与えることなく良質な高周波接地を可能としている。
【０００６】
【発明が解決しようとする課題】
上記のように、従来、構造躯体を被接地部材として利用する技術としては、柱部の鉄骨や鉄筋を接地線として利用する技術が実施されている。また、データセンター等においては、フリーアクセスフロア内に銅線等を電気的に接続することにより低抵抗接地を可能にする技術が実施されている。
鉄骨や柱の主鉄筋に接地ケーブルを接続する従来の躯体接地構造では、構造躯体と、接地の必要とされる機器類とを、機器類の設置された接続場所まで接地ケーブルを用いて接続することが必要となるが、接続場所が限定されるため、接地ケーブルの長さが長くなり、結果として、接地システム全体の高周波領域におけるインピーダンス（接地抵抗）が高くなり、迷走電流や高周波ノイズ等による障害を発生させる原因となる。高周波電流は、接地ケーブルの表面付近のみを流れる特性（表皮効果）を有し、５０〜６０Ｈｚという一般の商用周波数に対し、例えば１０ＭＨｚの高周波電流では商用周波数の３００倍以上のインピーダンスとなる。このため、接地ケーブルの長さは１００ｃｍ程度とすることが理想とされている。従って、接地を必要とする機器類・盤類は、構造躯体の直近で接続することが望まれるが、デッキスラブの中央部に設置される機器類・盤類では柱等の構造躯体から離れているため、接地ケーブルの長さを短縮することが困難であった。また、データセンター等において採用されているフリーアクセス内に銅線をグリツド状に設置する技術は、多大な費用が必要になるとともに、機器を設置する場合にはこの接地線を盛り替える必要があり、維持管理の面でも、負担が発生した。
本発明は上記状況に鑑みてなされたもので、接地ケーブルを短い長さで接続できるとともに、高周波領域におけるインピーダンスを低くでき、しかも、専用金物を溶接する構造やフリーアクセスフロア内に銅線を配設する構造と比較してコストを削減することができる躯体接地構造を得ることにある。
【０００７】
【課題を解決するための手段】
上記目的を達成するための本発明に係る請求項１記載の躯体接地構造は、金属製床材と、該金属製床材の上方に打設されるスラブコンクリート中に埋設される鉄筋と、Ｔ字型吊ボルトとを具備し、前記金属製床材の所望位置にボルト穴を貫通させてスラブ下に垂設させるとともに、前記Ｔ字型吊ボルトの横部分の両端側のそれぞれを該横ボルトに交差する前記鉄筋に載置して電気的に導通させた状態で接続固定し、スラブ下に垂設された前記縦ボルトに接地ケーブルを接続したことを特徴とする。
【０００８】
この躯体接地構造では、コンクリート中に埋設される鉄筋と、その下部に設けられた金属製床材とが電気的に接続され、高周波領域におけるインピーダンスが低くなる。また、迷走電流が生じ難くなり、高周波ノイズが迅速に地中へ拡散される。そして、所望の位置でボルト穴が穿設可能であることから、機器類への接地ケーブルが短い長さで直接金属製床材に接続できる。これにより、コンピュータ機器類に対するノイズ障害の防止に有効に機能させることができるとともに、建物全体が等電位化されてシールド効果も得られるようになり、雷害対策上も有効となる。更に、簡素なＴ字型吊ボルトのみが用いられ、柱や梁等の鉄骨に専用金物が溶接される従来構造と比較してコストが大幅に削減される。
【０００９】
請求項２記載の躯体接地構造は、金属製床材と、該金属製床材の上方に間隔を有し且つ電気的に導通して打設されたスラブコンクリート中に埋設される主筋と、Ｔ字型吊ボルトとを具備し、前記金属製床材の所望位置にボルト穴を穿設し、前記Ｔ字型吊ボルトの縦部分を該ボルト穴に貫通させてスラブ下に垂設させるとともに、前記Ｔ字型吊ボルトの横部分の両端側のそれぞれを該横ボルトに交差する前記鉄筋に載置して電気的に導通させた状態で接続固定し、スラブ下に垂設された前記縦ボルトに、導電性を有するケーブルラックを電気的に導通させた状態で吊下げ支持し、該ケーブルラックに接地ケーブルを接続したことを特徴とする。
【００１０】
この躯体接地構造では、スラブ下に垂設された縦ボルトに、導電性を有する金属製配線部材（ケーブルラック）が電気的に導通された状態で吊下げ支持され、ケーブルラック本体が被接地部材として有効利用される。これにより、接地を必要とする機器類が多数設置されるデータセンターや通信局舎等の場合においても、被接地部材がそれぞれの機器類の近傍まで配置可能となり、機器類への接地ケーブルがより短い長さで直接金属製床材に接続可能となる。
【００１１】
請求項３記載の接地構造は、金属製床材の所望位置にボルト穴を穿設し、Ｔ字型吊ボルトの縦部分をボルト穴に貫通させてスラブ下に垂設させるとともに、この金属製ボルトを金属製ワッシャーを介して前記金属製床材と電気的に導通させた状態で固設し、金属製ボルトに接地ケーブルを接続したものである。
【００１２】
この躯体接地構造では、ケーブルラックが金属製床材と機器類へとの接地ケーブルが更に短い長さで直接金属製床材に接続可能となる。
【００１３】
【発明の実施の形態】
以下、本発明に係る躯体接地構造の好適な実施の形態を図面を参照して詳細に説明する。
図１は本発明に係る躯体接地構造の実施の形態を表す構成図、図２は接地を必要とする機器類が少ない場合の躯体接地構造の変形例１、図３は本発明に係る躯体接地構造を採用したデータセンターを表す構成図、図４、図５は接地を必要とする機器類が少ない場合の躯体接地構造の変形例２、変形例３を表す構成図である。
【００１４】
本実施の形態による躯体接地構造は、データセンター、ＩＴ施設、各種工場、ＩＴ化が進んだ事務所ビル等の層間スラブ１１を被接地部材として利用する。スラブ１１は、図１に示すように、金属製床材であるデッキプレート１３と、このデッキプレート１３の上方に配筋される鉄筋である主筋１５と、デッキプレート１３上に打設されるスラブコンクリート１７とからなる。図２に示すように、主筋１５は、デッキプレート１３に間隔を有し且つ背筋１８を介してデッキプレート１３に電気的に導通してグリッド状に配筋され、スラブコンクリート１７中に埋設される。デッキプレート１３及び主筋１５は、図示しない鉄骨梁や鉄骨柱に溶接され、鉄骨柱の下部を支持する基礎或いは杭により地面に接地されている。
【００１５】
接地ケーブル２１をスラブ１１から取り出す方法としては、Ｔ字型吊ボルト２３を、デッキプレート１３上方の主筋１５に溶接又は結束する。Ｔ字型吊ボルト２３は、全ねじボルトからなる横部分２３ａの略中央に、同じく全ねじボルトからなる縦部分２３ｂの上端を固定してＴ字型に形成する。Ｔ字型吊ボルト２３は、デッキインサート等の専用金物に比べ、耐荷重が大きく簡素な構造で且つ容易に製作が可能となる。尚、上記全ねじボルトに代えて、他の金属材料からなるものを用いても良い。
【００１６】
デッキプレート１３には、所望位置にボルト穴２５を穿設する。Ｔ字型吊ボルト２３は、縦部分２３ｂをボルト穴２５に貫通させて、スラブ１１下に垂設させるとともに、横部分２３ａの両端側のそれぞれを、横部分２３ａに交差する主筋１５ａ、１５ａ、１５ａに載置して電気的に導通させた状態で接続固定する。この場合の接続固定は、溶接によるもの或いは番線２７を用いた結束であってもよい。
【００１７】
スラブ１１下に垂設された縦部分２３ｂには、導電性を有する図１に示した金属製配線部材（ケーブルラック）２９を電気的に導通させた状態で吊下げ支持する。ケーブルラック２９の材料としては、ガルバリウムやアルミニウム等導電性の高い材料が望ましい。
【００１８】
ケーブルラック２９は、縦部分２３ｂの下端に螺合したジョイント用ナット３１を介してラック用吊りボルト３３を連結して行う方法も可能である。この場合、ケーブルラック２９を載置し、支持するチャンネル材３５は、２本のラック用吊りボルト３３、３３によって支持されるが、少なくともそのうちの一本がＴ字型吊ボルト２３に連結され、電気的に導通されるものであればよい。
【００１９】
接地を必要とする機器類が多数設置されるデータセンターや通信局舎等では、このようにして、ケーブルを収容するためのケーブルラック２９をＴ字型吊ボルト２３に取り付け、Ｔ字型吊ボルト２３とケーブルラック２９を電気的に接続することによりケーブルラック２９本体を接地材料として利用し、このケーブルラック２９に機器類の接地ケーブル２１を接続する。
【００２０】
このように、ケーブルラック２９を被接地部材として有効利用することにより、接地を必要とする機器類が多数設置されるデータセンターや通信局舎等の場合においても、被接地部材がそれぞれの機器類の近傍まで配置可能となり、機器類への接地ケーブル２１がより短い長さで直接デッキプレート１３に接続される。
【００２１】
また、ケーブルラック２９は、サーバー等のレイアウトに合わせ、グリッド状に配置することが好ましい。即ち、ケーブルラック２９を、フリーアクセスフロア内に設けるグリッド状接地と同等に作用させて利用する。このようにケーブルラック２９をデッキプレート１３と平行な面上でグリッド状に配置した躯体接地構造によれば、接地ケーブル２１が更に短い長さで機器類に接続可能となる。
【００２２】
即ち、図３を用いてより具体的に説明すれば、構造躯体Ｍを構成するスラブ１１と、Ｔ字型吊ボルト２３を電気的に接続し、このＴ字型吊ボルト２３とケーブルラック２９を電気的に接続することにより、ケーブルラック２９自体を接地材料として利用する。ケーブルラック２９自体は金属製であり、複数のＴ字型吊ボルト２３によりスラブ１１と電気的に接続されることから、ケーブルラック２９自体が構造躯体Ｍと同等の接地性能（高周波領域における低抵抗性能）を持つことが可能となる。盤類Ｂ１、Ｂ２やＣＰＵ機器類Ｃ１、Ｃ２の接地ケーブル２１を最短距離で接続可能とすることから、接地ケーブル２１による高周波領域における高抵抗化が回避され、良好な接地が確保される。そして、このケーブルラック２９をグリッド状に設ければ、データセンターにおいてフリーアクセスフロア内に設けられる銅線を利用したグリッド接地システムと同等の接地性能を、安価に実現することが可能となる。
【００２３】
次に、スラブ１１を低抵抗の被接地部材として利用可能とするための具体的な施工手順を説明する。
先ず、全ねじボルトをＴ字型に加工しＴ字型吊ボルト２３を製作する。全ねじボルトのサイズは、直径１２ｍｍ程度以上が望ましい。又この全ねじボルトに代えて他の金属材料からなるものを用いても良い。
所望位置、或いはＴ字型吊ボルト２３の位置に合わせてデッキプレート１３にボルト穴２５を穿設する。
【００２４】
Ｔ字型吊ボルト２３はケーブルラック２９用の吊ボルトとして利用するため、穴あけ位置は通常と同じ１．５〜２ｍピッチで良いが、１ｍピッチ程度とすることが低抵抗を実現する上で好ましい。
なお、この際、ケーブルラック２９の吊ボルトは、全てをＴ字型吊ボルト２３とすることが望まれるが、上記したように片側のみをＴ字型吊ボルト２３とすることで、他の片側は一般吊ボルト（ラック用吊りボルト３３）として、コスト低減を図ることも可能である。その場合のラック用吊りボルト３３は、アンカー３４によってスラブ１１に支持される。
【００２５】
Ｔ字型吊ボルト２３をボルト穴２５に通した後、デッキプレート１３の主筋１５にＴ字型吊ボルト２３の横部分２３ａを溶接又は結束する。この場合、溶接によって固定する方が低抵抗の実現、固定強度の観点から望ましい。
ワッシャー３７とナット３９にてＴ字型吊ボルト２３の縦部分２３ｂをスラブ１１の下部鉄板４１に固定する。ワッシャー３７は、直径３０ｍｍ程度以上の大型金属製ワッシャーにて下部鉄板４１との接触面積を大きくすることが望ましい。なお、下部鉄板４１が用いられない場合には、ワッシャー３７及びナット３９は直接デッキプレート１３に固定される。
【００２６】
このようにしてＴ字型吊ボルト２３の設置が完了したなら、デッキプレート１３上にスラブコンクリート１７を打設する。
所要のコンクリート硬化養生期間が経過した後、Ｔ字型吊ボルト２３の縦部分２３ｂに、ジョイント用ナット３１（図１参照）を介して一般の金属製ラック用吊りボルト３３を接続し、ケーブルラック２９の取り付け位置に合わせた所定の長さにする。ジョイント用ナット３１は、長さ４０ｍｍ程度以上の長ナットが望ましい。
次いで、ラック用吊りボルト３３に、ケーブルラック２９を取り付ける。なお、この場合、Ｔ字型吊ボルト２３にケーブルラック２９を直接取り付けることも可能である。
【００２７】
ケーブルラック２９本体とラック用吊りボルト３３を接地ケーブル２１にて接続する。接地ケーブル２１のサイズとしては直径３８ｍｍ以上が望ましいがこれには限定されない。
接地を必要とする機器類・盤類の接地ケーブル２１をラック用吊りボルト３３又はケーブルラック２９本体に接続する。接地ケーブル２１の長さは１００ｃｍ以下が理想であるが、最短となる位置でケーブルラック２９と接続する。
【００２８】
従って、この躯体接地構造によれば、グリッド状に配置された主筋１５と、その下部に設けられたデッキプレート１３とが電気的に接続され、グリッド状接地とプレート状接地の双方の長所が得られ、高周波領域におけるインピーダンスが低くなる。また、迷走電流が生じ難くなり、高周波ノイズが迅速に地中へ拡散される。そして、所望の位置でボルト穴２５が穿設可能であることから、機器類への接地ケーブル２１が短い長さで直接デッキプレート１３に接続できる。これにより、コンピュータ機器類に対するノイズ障害の防止に有効に機能させることができるとともに、建物全体が等電位化されてシールド効果も得られるようになり、雷害対策上も有効となる。更に、簡素なＴ字型吊ボルト２３のみが用いられ、柱や梁等の鉄骨に専用金物が溶接される従来構造と比較してコストが削減される。
【００２９】
また、上記の躯体接地構造は、主筋１５にＴ字型吊ボルト２３を載置固定することから、導体である縦部分２３ｂを、支持構造材として導出させることができ、導体としての機能のみならず、支持構造物としての利用もできる。従って、極めて簡素な導体支持部材（Ｔ字型吊ボルト２３）を用いて、導体機能及び支持機能の両機能の発現が可能となり、極めて経済的に接地支持兼用構造を得ることができる。
【００３０】
このように、本実施の形態による躯体接地構造によれば、ＩＴ時代に求められる、コンピュータ機器に対するノイズ障害防止機能に優れ、建物全体の等電位化・シールド化による雷害対策にも有効な接地システムを低コストで構築できる。そして、フリーアクセスフロア内に接地銅線をグリッド状に配置する接地構造の場合、コストが５万円／ｍ２程度となるのに対し、本実施の形態による躯体接地構造の場合では、コストが１，０００円／ｍ２程度に抑えられることが確認できた。
【００３１】
次に、上記実施の形態の変形例を説明する。
本発明に係る躯体接地構造は、図２に示すように、ケーブルラック２９を設けずに、Ｔ字型吊ボルト２３の縦部分２３ｂに、ナット３９、３９を螺着して直接接地ケーブル２１の端子２１ａを接続したり、図４に示すように、金属製のワッシャー３７を外挿した縦部分２３ｂにナット３９を螺合し、更にナット３９、３９を螺着して直接接地ケーブル２１の端子２１ａを接続してもよい。このような構造は、接地ケーブル２１を接続する機器類が少ない場合、コスト的に有利となる。
【００３２】
更に、本発明に係る躯体接地構造は、図５に示すように、ケーブルラック２９を使用しない場合の方法として、デッキプレート１３の所要位置にボルト穴２５を穿設し、このボルト穴２５に吊ボルトや一般の六角ボルト４１をデッキプレート１３上から通し、ボルト４１をスラブ１１と電気的に接続し、デッキプレート１３の下面側に垂下したボルト４１の先端側に端子２１ａを外挿し、更にナット３９を螺着して直接接地ケーブル２１を接続してもよい。このような構造は、Ｔ字型吊ボルト２３も省略が可能となるので、従来の、柱や梁の鉄骨に金属製プレートを溶接し、これに接地ケーブルを接続していた躯体接地方式と比較し、盤類やＣＰＵ機器類の直近位置で躯体接地が可能となり、接地ケーブル２１の長さが最小となることから、高周波領域における低抵抗接地を安価に提供可能となる。
【００３３】
また、図５に示した変形例では、ボルト４１をデッキプレート１３上から通し、ボルト４１に外挿した端子２１ａをナット３９にて螺着して直接接地ケーブル２１を接続させるが、同図の右方に示すように、ボルト４１に代えてアンカー４５を用いてデッキプレート１３と接地ケーブル２１との接続を図っても良い。この場合、アンカー４５には金属製のものを用いるか、或いは金属製でないものを用いる場合にはワッシャー４７を用いてアンカー４５とデッキプレート１３とを導通させる。デッキプレート１３と導通させたアンカー４５には吊りボルト４７を螺合させる。この吊りボルト４７には、金属製カラー４９、端子２１ａを外挿し、ナット３９にて螺着して直接接地ケーブル２１を接続させる。このようなアンカー４５を用いた躯体接地構造の変形例によれば、ボルト４７の引き抜き強度を大きくすることができ、デッキプレート１３との導通を確保しながら、各種器具等の吊下げ支持部材としての機能も付与することができる。
【００３４】
【発明の効果】
以上詳細に説明したように、本発明に係る躯体接地構造によれば、Ｔ字型吊ボルトの縦部分を、金属製床材であるデッキプレートに穿設したボルト穴に貫通させてスラブ下に垂設させるとともに、横部分の両端側それぞれを該横部分に交差する鉄筋に載置して電気的に導通させた状態で接続固定し、スラブ下に垂設された縦部分に接地ケーブルを接続するので、鉄筋と下部に設けられたデッキプレートは電気的に接続されて、高周波領域におけるインピーダンスを低くすることができる。また、迷走電流を発生させず、高周波ノイズを迅速に地中に拡散する効果を持つ。そして、所望の位置でボルト穴が穿設できるので、機器類の接地ケーブルを短い長さで直接金属製床材に接続することが可能となる。このため、コンピュータ機器類に対するノイズ障害の防止に有効に機能させることができるとともに、建物全体が等電位化されシールド効果も得ることができるので、雷害対策上も有効となる。更に、簡素なＴ字型吊ボルトや金属製ボルト、アンカーのみを用いるので、柱や梁等の鉄骨に専用金物を溶接する従来構造と比較してコストを大幅に削減することができる。
【図面の簡単な説明】
【図１】本発明に係る躯体接地構造の実施の形態を表す構成図である。
【図２】接地を必要とする機器類が少ない場合の躯体接地構造の変形例１を表す構成図である。
【図３】本発明に係る躯体接地構造を採用したデータセンターを表す構成図である。
【図４】接地を必要とする機器類が少ない場合の躯体接地構造の変形例２を表す構成図である。
【図５】接地を必要とする機器類が少ない場合の躯体接地構造の変形例３を表す構成図である。
【図６】従来の躯体接地構造を表す構成図である。
【符号の説明】
１１…スラブ、１３…デッキプレート（金属製床材）、１５…主筋（鉄筋）、１５ａ…横部分に交差する主筋、１７…スラブコンクリート、２１…接地ケーブル、２３…Ｔ字型吊ボルト、２３ａ…横部分、２３ｂ…縦部分、２５…ボルト穴、２９…ケーブルラック
【図１】
2005056594.tif 000003
【図２】
2005056594.tif 000004
【図３】
2005056594.tif 000005
【図４】
2005056594.tif 000006
【図５】
2005056594.tif 000007
【図６】
2005056594.tif 000008